(57)【要約】【課題】  電気信号劣化を抑制するように構成された回路を提供する。【解決手段】  回路は、信号経路と、前記信号経路を含む第１のレイヤと、前記信号経路を含む第２のレイヤとを含み得る。回路は更に、信号経路ビア位置を有し且つ第１のレイヤの信号経路を第２のレイヤの信号経路と接続するように構成された経路ビアを含み得る。回路はまた、第１のレイヤに関連付けられたグランドプレーンを含み得る。グランドプレーンは、信号経路ビア位置に対応するグランドプレーン位置を有し得る。グランドプレーンはまた、経路ビアが第１のレイヤの信号経路と接触している第１のレイヤの側に対応するグランドプレーンの第２の側とは反対側のグランドプレーンの第１の側でグランドプレーン位置から遠ざかる方向に延在した非対称な切り抜き部分を含み得る。【選択図】  図１Ａ
2015165646.tif 000002
【特許請求の範囲】
【請求項１】
電気信号劣化を抑制するように構成された回路であって、
電気信号の順方向電流を搬送するように構成された信号経路と、
前記信号経路を含む第１のレイヤと、
前記信号経路を含む第２のレイヤと、
信号経路ビア位置を有し、前記第１のレイヤの前記信号経路を前記第２のレイヤの前記信号経路と接続するように構成された経路ビアと、
前記第１のレイヤに関連付けられ、前記電気信号の戻り電流を搬送するように構成されたグランドプレーンであり、該グランドプレーンは、前記信号経路ビア位置に対応するグランドプレーン位置を有し、該グランドプレーンは、前記グランドプレーンの第１の側で前記グランドプレーン位置から遠ざかる方向に延在した非対称な切り抜き部分を含み、前記グランドプレーンの前記第１の側は、前記経路ビアが前記第１のレイヤの前記信号経路と接触している前記第１のレイヤの側に対応する前記グランドプレーンの第２の側の反対側である、グランドプレーンと、
を有する回路。
【請求項２】
前記信号経路は、前記信号経路ビア位置に近付くにつれて前記第１のレイヤ上で幅が広くなる幅広部を含む、請求項１に記載の回路。
【請求項３】
前記信号経路の幅を広くすることは、前記信号経路の特性インピーダンスが、前記幅広部において、幅が広くされていない部分においてと略同じであるようにされる、請求項２に記載の回路。
【請求項４】
前記非対称な切り抜き部分は、前記経路ビアに付随する非対称なアンチパッドであり、前記非対称なアンチパッドは、前記グランドプレーンの前記第１の側において前記グランドプレーンの前記第２の側においてより大きいように構成されている、請求項１に記載の回路。
【請求項５】
前記非対称な切り抜き部分は、前記グランドプレーンの前記第２の側で前記グランドプレーン位置から遠ざかる方向に延在し、且つ前記グランドプレーンの前記第２の側上の終端位置で終わっており、前記非対称な切り抜き部分は、前記グランドプレーン位置において、前記終端位置においてより幅広である、請求項１に記載の回路。
【請求項６】
前記非対称な切り抜き部分は、前記非対称な切り抜き部分が前記グランドプレーン位置において前記終端位置においてより幅広であるように、前記グランドプレーンの前記第２の側で先細り形状にされている、請求項５に記載の回路。
【請求項７】
前記信号経路は、前記非対称な切り抜き部分の前記先細り形状に対応するように前記第１のレイヤ上で幅を広げられている、請求項６に記載の回路。
【請求項８】
前記グランドプレーンは第１のグランドプレーンであり、当該回路は更に、
第２のグランドプレーンと、
前記第１のグランドプレーンの前記第２の側に結合されたグランドビアであり、該グランドビアは、前記信号経路が前記経路ビアと接触するところである前記信号経路のコーナーの内側に位置するようにされ、該グランドビアは、前記戻り電流が前記第１のグランドプレーンと前記第２のグランドプレーンとの間で該グランドビアを通るよう、前記第１のグランドプレーンを前記第２のグランドプレーンと接続するように構成されている、グランドビアと
を有する、請求項１に記載の回路。
【請求項９】
前記電気信号は、第１の信号と第２の信号とを含む差動信号であり、前記信号経路は、前記第１の信号を搬送するように構成された第１の信号経路と、前記第２の信号を搬送するように構成された第２の信号経路とを含む差動信号経路であり、前記第１の信号経路と前記第２の信号経路とが近付いて逸れるように構成されている、請求項１に記載の回路。
【請求項１０】
前記第１の信号経路と前記第２の信号経路との少なくとも一方は、前記第１の信号経路と前記第２の信号経路とが近付くとき幅狭になるように構成されている、請求項９に記載の回路。
【請求項１１】
電気信号劣化を抑制する方法であって、
電気信号の順方向電流を搬送するように構成された信号経路を含む第１のレイヤを形成することと、
前記信号経路を含む第２のレイヤを形成することと、
信号経路ビア位置を有し且つ前記第１のレイヤの前記信号経路を前記第２のレイヤの前記信号経路と接続するように構成された経路ビア、を形成することと、
前記第１のレイヤに関連付けられ且つ前記電気信号の戻り電流を搬送するように構成されたグランドプレーンを形成することであり、前記グランドプレーンは、前記信号経路ビア位置に対応するグランドプレーン位置を有する、形成することと、
前記グランドプレーンに付随する非対称な切り抜き部分を形成することであり、前記非対称な切り抜き部分が、前記グランドプレーンの第１の側で前記グランドプレーン位置から遠ざかる方向に延在するように形成され、前記グランドプレーンの前記第１の側は、前記経路ビアが前記第１のレイヤの前記信号経路と接触する前記第１のレイヤの側に対応する前記グランドプレーンの第２の側の反対側である、形成することと、
を有する方法。
【発明の詳細な説明】
【技術分野】
【０００１】
ここに開示される実施形態は、ビア周囲の磁界を操作することに関する。
【背景技術】
【０００２】
回路基板や集積回路の異なるレイヤ（層）内の導電体を電気的に接続するためにビアが使用されることがある。電気信号は典型的に、レイヤ上を横方向に走行した後、ビアに到達すると急（シャープ）な（例えば９０°）方向転換を行い、そして縦方向に走行して別のレイヤへと搬送され、そこで電気信号はもう一度急な方向転換を行って横方向への走行を再開する。横方向の走行と縦方向の走行との間の急な方向転換は、電気信号の反射や劣化をもたらし得るインピーダンス不連続を生じさせてしまい得る。
【０００３】
本願にて特許請求される事項は、上述のような欠点を解決したり上述のような環境においてのみ動作したりする実施形態に限定されるものではない。むしろ、この背景技術は、ここに記載される一部の実施形態が実施され得る一例に係る技術分野を例示するために提示されるに過ぎない。
【発明の概要】
【発明が解決しようとする課題】
【０００４】
電気信号劣化を抑制するように構成された回路を提供する。
【課題を解決するための手段】
【０００５】
一態様に係る一実施形態によれば、電気信号劣化を抑制するように構成された回路は、電気信号の順方向電流を搬送するように構成された信号経路と、前記信号経路を含む第１のレイヤと、前記信号経路を含む第２のレイヤとを含み得る。この回路は更に、信号経路ビア位置を有し且つ前記第１のレイヤの前記信号経路を前記第２のレイヤの前記信号経路と接続するように構成された経路ビアを含み得る。この回路はまた、前記第１のレイヤに関連付けられ且つ前記電気信号の戻り電流を搬送するように構成されたグランドプレーンを含み得る。前記グランドプレーンは、前記信号経路ビア位置に対応するグランドプレーン位置を有し得る。前記グランドプレーンはまた、前記経路ビアが前記第１のレイヤの前記信号経路と接触している前記第１のレイヤの側に対応する前記グランドプレーンの第２の側とは反対側の前記グランドプレーンの第１の側で前記グランドプレーン位置から遠ざかる方向に延在した非対称な切り抜き部分を含み得る。
【０００６】
実施形態の目的及び利点は、少なくとも請求項にて特定的に列挙される要素、機構及び組み合わせによって、実現され達成されることになる。
【０００７】
理解されるように、以上の概要説明及び以下の詳細説明はどちらも、例示的且つ説明的なものであり、特許請求に係る本発明を限定するものではない。
【図面の簡単な説明】
【０００８】
以下の図を含む添付図面を使用して、更なる具体性及び詳細性をもって、実施形態例の記述及び説明を行う。
【図１Ａ】電磁（ＥＭ）界を操作するように構成された回路の一構成例を示す図である。
【図１Ｂ】図１Ａの回路の一断面例を示す図である。
【図１Ｃ】ＥＭ界操作がないことを除いて図１Ａ及び１Ｂの回路と同様の回路の一断面例を示す図である。
【図２】差動信号のディファレンシャルモードに関するＥＭ界を操作するように構成された回路の一構成例を示す図である。
【図３】差動信号のコモンモードに関するＥＭ界を操作するように構成された回路の一構成例を示す図である。
【図４】回路内での電気信号劣化を抑制する一方法例を示すフローチャートである。
【発明を実施するための形態】
【０００９】
以下にて詳細に説明するように、電気信号（以下、“信号”と称する）が回路の様々なレイヤからビアへと入る時及び様々なレイヤへとビアを出て行く時に急な（例えば９０°）方向転換を行うこと、に付随し得る信号劣化を抑制するように、回路が構成され得る。一部の例において、信号劣化は、ビアが回路のレイヤと接触し得るコーナー部に生じ得るインピーダンス不連続によって引き起こされ得る。インピーダンス不連続は、少なくとも部分的に、信号に付随する電磁（ＥＭ）界の途絶によって引き起こされ得る。
【００１０】
例えば、信号が或るレイヤ内のその信号経路に沿って伝播しているとき、対応するＥＭ界は、ＥＭ界の電界と磁界との双方が信号の伝播方向に対して実質的に垂直であるという横（トランスバース）電磁（ＴＥＭ）モードにあり得る。しかしながら、信号が（例えばビアの位置の）急コーナーに到達するとき、突然の方向変化により、コーナーの内側のＥＭ界が、コーナーの外側のＥＭ界より短い伝播距離を有することになる。これら伝播距離の間の不連続により、対応するＥＭ界はもはやＴＥＭモードにないことになり、これがひいてはインピーダンス不連続及びそれに伴う反射を引き起こし得る。
【００１１】
一部の実施形態において、回路の信号経路と回路のグランドプレーンとの間のＥＭ結合を操作し得るように回路が構成され得る。ＥＭ結合の操作は、信号経路のコーナーの内側部分でコーナーの外側部分に対してＥＭ結合が増大することをもたらすことができ、それにより、ＥＭ界方向同士の間での不連続を低減し、信号のＥＭ界がＥＭ結合操作なしの場合より多くＴＥＭモードにあることを可能にし得る。従って、インピーダンス不連続及びそれに伴う信号劣化が低減され得る。以下にて詳述するように、ＥＭ結合は、信号経路の大きさ及び形状と、ビアを含み得る回路領域の周りのグランドプレーンに関する切り抜きとを設定することによって操作され得る。さらに、一部の実施形態において、回路は、所望のようにＥＭ結合を操作する助けとなり得る追加のビアを含み得る。
【００１２】
本開示に係る実施形態を、添付図面を参照して説明する。
【００１３】
図１Ａは、ここに開示される少なくとも１つの実施形態に従った、ＥＭ界を操作して電気信号劣化を抑制するように構成された回路１００の一構成例を示している。回路１００は、例えば印刷回路基板（ＰＣＢ）若しくは集積回路（ＩＣ）などの層状回路、又は２層以上を含み得るＩＣパッケージとし得る。回路１００のレイヤ群は、互いに上下に積み重ねられ得る。図１Ａには、回路１００のレイヤ１０８ａ−１０８ｈの各々の上面図が描かれている。これらは図１Ａにおいては隣り合っているように描かれているが、レイヤ１０８ａ−１０８ｈは、レイヤ１０８ｈを底にし、レイヤ１０８ｇ、１０８ｆ、１０８ｅ、１０８ｄ、１０８ｃ、１０８ｂ及び１０８ａをこの順に続けて、互いの上に積み重ねられているとし得る。回路１００のこのレイヤ数は単なる一例であり、本開示に従って構成される回路は、如何なる数の適用可能なレイヤを有していてもよい。
【００１４】
回路１００は、電流を搬送するように構成され得る信号経路１０２を含み得る。図示した実施形態において、信号経路１０２は、信号に関する順方向電流を搬送するように構成され得る。順方向電流は、信号経路１０２内に破線矢印によって描かれている。図示した実施形態において、信号経路１０２は、レイヤ１０８ａの中若しくは上にあり且つ／或いはそれによって支持されるとし得るレイヤ１０８ａに付随する配線（トレース）１０６ｂを含み得る。信号経路１０２はまた、レイヤ１０８ｆの中若しくは上にあり且つ／或いはそれによって支持されるとし得るレイヤ１０８ｆに付随する配線１０６ａを含み得る。配線１０６ｂ及び１０６ａは、電流を搬送し得る如何なる好適な導電体からなっていてもよい。
【００１５】
信号経路１０２はまた、レイヤ１０８ａの配線１０６ｂとレイヤ１０８ｆの配線１０６ａとに結合された経路ビア１０４を含み得る。経路ビア１０４は、配線１０６ｂと１０６ａとの間で経路ビア１０４を順方向電流が通り抜け得るような如何なる好適な導電体からなっていてもよい。従って、経路ビア１０４は、レイヤ１０８ｆ及びレイヤ１０８ａで信号経路１０２を電気的に接続するように構成され得る。
【００１６】
経路ビア１０４と配線１０６ｂ及び１０６ａとの接合部分は、信号が経路ビア１０４を出入りするときに実質的に急な方向転換をし得る実質的に急なコーナー（例えば９０°）を信号経路１０２が含み得るようにされ得る。図示した実施形態において、配線１０６ａとの経路ビア１０４の接合部分は、信号経路１０２のコーナー１０５ａとして参照され、配線１０６ｂとの経路ビア１０４の接合部分は、信号経路１０２のコーナー１０５ｂとして参照され得る。
【００１７】
経路ビア１０４が配線１０６ａと接触するレイヤ１０８ｆの側は、レイヤ１０８ｆのインタフェース側１１１として参照され得る。インタフェース側１１１とは反対側のレイヤ１０８ｆの側は、レイヤ１０８ｆのインタフェース反対側１１３として参照され得る。同様に、経路ビア１０４が配線１０６ｂと接触するレイヤ１０８ａの側は、レイヤ１０８ａのインタフェース側１１５として参照され得る。インタフェース側１１５とは反対側のレイヤ１０８ａの側は、レイヤ１０８ａのインタフェース反対側１１７として参照され得る。上述のレイヤ群１０８の相異なる側の間の境界を描くために、図示のように経路ビア１０４の中央を通って走る分割線１５０を用いている。後述のように、回路１００は、コーナー１０５でのインピーダンス不整合が低減されて電気信号の劣化が抑制されるように構成され得る。
【００１８】
回路１００のレイヤ群のうちの１つ以上は、グランドプレーンとしても構成されることができ、それらグランドプレーンのうちの１つ以上が、信号経路１０２によって搬送される順方向電流に相当し得る電気信号の戻り電流を搬送するように構成され得る。戻り電流は、図１Ａ中に実線矢印によって描かれている。“順方向電流”及び“戻り電流”なる用語は、必ずしも電流の特定の向きには対応せず、それらが互いに対して反対向きに伝播し得ることを表すために用いられているに過ぎない。
【００１９】
図示した実施形態において、レイヤ１０８ｂ、１０８ｄ、１０８ｅ及び１０８ｇは、グランドプレーンとして構成されることができ、それぞれ、グランドプレーン１１０ａ、１１０ｂ、１１０ｃ及び１１０ｄとして参照され得る。グランドプレーン１１０ａ、１１０ｂ、１１０ｃ及び１１０ｄは、電流がグランドプレーン１１０ａ、１１０ｂ、１１０ｃ及び１１０ｄを通り抜け得るようにそれぞれのレイヤのかなりの部分を覆い得る如何なる好適種類の導電体を含んでいてもよい。
【００２０】
順方向電流が信号経路１０２を通り、且つ対応する戻り電流が関連するグランドプレーンを通るように、信号が信号経路１０２を通過するとき、信号経路１０２の導電体及びグランドプレーンの導電体は、相互間に、信号に付随するＥＭ界に影響を及ぼし得るＥＭ結合を有し得る。以下にて詳述するように、信号経路１０２に関連付けられた導電体は、それら導電体同士の間のＥＭ結合によって、ビアが信号経路の配線と接触するコーナーにおいて、信号に付随するＥＭ界が従来実装を用いた場合より多くＴＥＭモードにあることを可能にするように構成され得る。
【００２１】
例えば、配線１０６ａ及び経路ビア１０４は各々、グランドプレーン１１０ｃ及びグランドプレーン１１０ｄと電磁結合され得る。回路１００は、配線１０６ａが信号経路１０２の第１のコーナー１０５ａに近付くほど、グランドプレーン１１０ｃとの配線１０６ａのＥＭ結合が、グランドプレーン１１０ｄとの配線１０６ａのＥＭ結合よりも大きくなり得るように構成され得る。これら及びその他の実施形態において、グランドプレーン１１０ｄは、経路ビア１０４とグランドプレーン１１０ｄとの間のＥＭ結合が低減され得るように構成され得る。さらに、グランドプレーン１１０ｃは、レイヤ１０８ｆのインタフェース側１１１とは反対側のグランドプレーン１１０ｃの第１の側１２０でのグランドプレーン１１０ｃと経路ビア１０４との間のＥＭ結合が、レイヤ１０８ｆのインタフェース側１１１に対応するグランドプレーン１１０ｃの第２の側１２２での対応するＥＭ結合と比較して低減されるように構成され得る。同様に、グランドプレーン１１０ｃは、グランドプレーン１１０ｃの第１の側１２０でのグランドプレーン１１０ｃと配線１０６ａとの間のＥＭ結合が、グランドプレーン１１０ｃの第２の側１２２での対応するＥＭ結合と比較して低減されるように構成され得る。
【００２２】
他の一例として、配線１０６ｂ及び経路ビア１０４も各々、グランドプレーン１１０ａと電磁結合され得る。グランドプレーン１１０ａは、レイヤ１０８ａのインタフェース側１１５とは反対側のグランドプレーン１１０ａの第１の側１２４でのグランドプレーン１１０ａと経路ビア１０４との間のＥＭ結合が、レイヤ１０８ａのインタフェース側１１５に対応するグランドプレーン１１０ａの第２の側１２６での対応するＥＭ結合と比較して低減されるように構成され得る。同様に、グランドプレーン１１０ａは、グランドプレーン１１０ａの第１の側１２４でのグランドプレーン１１０ａと配線１０６ｂとの間のＥＭ結合が、グランドプレーン１１０ａの第２の側１２６での対応するＥＭ結合と比較して低減されるように構成され得る。
【００２３】
上述の構成は、第１のコーナー１０５ａの内側の第１のコーナー１０５ａ付近のＥＭ界を、第１のコーナー１０５ａの外側の第１のコーナー１０５ａ付近のＥＭ界よりも増大させ得る。同様に、上述の構成は、第２のコーナー１０５ｂの内側の第２のコーナー１０５ｂ付近のＥＭ界を、第２のコーナー１０５ｂの外側の第２のコーナー１０５ｂ付近のＥＭ界よりも増大させ得る。上述のように、コーナー１０５の外側のＥＭ界に対する、コーナー１０５の内側のＥＭ界の増大は、コーナーでのインピーダンス不連続を抑制することができ、それにより信号の劣化を抑制し得る。
【００２４】
図１Ｂは、ここに記載される少なくとも１つの実施形態に従った、図１Ａの直線１１４で取られた回路１００の断面１１２の一例を示している。図１Ｂ中の太い実線矢印は、信号の戻り電流を示しており、太い破線矢印は、信号経路１０２に沿って伝播し得る信号の順方向電流を示している。断面１１２内の細い矢印は、信号経路１０２に沿って伝播し得る信号に付随し得るＥＭ界の電界を示している。このＥＭ界に付随する磁界も存在し得るが、図１Ｂには明示していない。
【００２５】
電界の矢印によって断面１１２内に示すように、配線１０６ａが経路ビア１０４及びコーナー１０５ａに近付くにつれて、上述のＥＭ結合操作により、配線１０６ａとグランドプレーン１１０ｄとの間のＥＭ界が低減あるいは除去されながら、配線１０６ａとグランドプレーン１１０ｃとの間のＥＭ界が維持あるいは増大されるようにし得る。さらに、上述のＥＭ結合操作により、経路ビア１０４とグランドプレーン１１０ｄとの間のＥＭ界が、経路ビア１０４の両側で低減あるいは除去されるようにし得る。また、グランドプレーン１１０ｃの第１の側１２０（これはレイヤ１０８ｆのインタフェース側１１１の反対側とし得る）での経路ビア１０４とグランドプレーン１１０ｃとの間のＥＭ界も低減あるいは除去され得る。従って、第１のコーナー１０５ａの外側でのＥＭ界が低減あるいは除去され、且つ／或いは第１のコーナー１０５ａの内側での電界が増大され得る。
【００２６】
さらに、電界の矢印によって断面１１２内に示すように、グランドプレーン１１０ａも同様に、図１Ｂに描かれるように、第２のコーナー１０５ｂの外側でのＥＭ界が、第２のコーナー１０５ｂの内側でのＥＭ界に対して低減され得るように構成され得る。図示したようなＥＭ界の操作は、ＥＭ界が、第１のコーナー１０５ａ及び第２のコーナー１０５ｂにおいて、より多くＴＥＭモードを維持することを可能にし得る。それぞれのＥＭ界の、全てではないにしても、大部分が、第１及び第２のコーナー１０５ａ及び１０５ｂの内側にあり得ることにより、ＴＥＭモードがより良好に維持され得る。故に、ＥＭ界の、全てではないにしても、支配的部分が、第１及び第２のコーナー１０５ａ及び１０５ｂの内側にあり得ることにより、第１及び第２のコーナー１０５ａ及び１０５ｂの外側におけるＥＭ界の伝播距離と、第１及び第２のコーナー１０５ａ及び１０５ｂの内側におけるＥＭ界の伝播距離との間の差は、より小さい干渉しか発生しなくなる。
【００２７】
対照的に、図１Ｃは、上述のＥＭ結合及びＥＭ界の操作がないことを除いて、回路１００と同様の回路の断面１６０の一例を示している。断面１６０のうちの囲んだ部分と図１Ｂの断面１１２内の対応する箇所との比較によって示されるように、断面１６０の囲んだ部分内のＥＭ界は、経路ビアと配線との接合部分に付随するコーナーの内側と外側との間で伝播距離の不均衡を有し、それにより、ＥＭ界は、図１Ｂに関するＥＭ界より少なくしかＴＥＭモードにないことになり得る。
【００２８】
図１Ａに戻るに、上述のＥＭ結合及びＥＭ界の操作は、配線１０６及び／又はグランドプレーン１１０に関連付けられた導電体の大きさ、形状及び／又は位置を操作することによって達成され得る。例えば、一部の実施形態において、グランドプレーン１１０ｄは、グランドプレーン１１０ｄに関する導電体が省かれた切り抜き部分１１６を含み得る。グランドプレーン１１０ｄは、グランドプレーン位置１１８が経路ビア１０４の位置に一致し得るようにして、経路ビア１０４の下方（例えば、直下）にあるグランドプレーン位置１１８を含み得る。一部の実施形態において、切り抜き部分１１６は、レイヤ１０８ｆのインタフェース側１１１の反対側とし得るグランドプレーン１１０ｄの第１の側１２８でグランドプレーン位置１１８から遠ざかる方向に延在するように構成され得る。第１の側１２８でのグランドプレーン位置１１８から遠ざかる方向への切り抜き部分１１６の延在は、例えば図１Ｂと図１Ｃとの比較にて示されるように、コーナー１０５ａの外側でのグランドプレーン１１０ｄと経路ビア１０４との間のＥＭ結合（及び結果としてＥＭ界）を低減し得る。
【００２９】
これら又はその他の実施形態において、切り抜き部分１１６は、レイヤ１０８ｆのインタフェース側１１１に対応し得るグランドプレーン１１０ｄの第２の側１３０でグランドプレーン位置１１８から遠ざかる方向に延在するように構成され得る。第２の側１３０でのグランドプレーン位置１１８から遠ざかる方向への切り抜き部分１１６の延在は、配線１０６ａがコーナー１０５ａに近付くにつれて、グランドプレーン１１０ｄと配線１０６ａとの間のＥＭ結合（及び結果としてＥＭ界）を低減し得る。
【００３０】
一部の実施形態において、切り抜き部分１１６は、図１Ａに例示されるようにテーパー（先細り）形状に構成され得る。従って、一部の実施形態において、切り抜き部分１１６は、非対称であってもよく、グランドプレーン位置１１８において、切り抜き部分１１６が終わる第２の側１３０の終端位置においてより幅広であってもよい。テーパー形状とすることは、配線１０６ａとグランドプレーン１１０ｄとの間のＥＭ結合が、突然ではなく徐々に小さくなることを可能にし得る。グランドプレーン１１０ｄの第１の側１２８での切り抜き部分の延在はまた、例えば図１Ｂと図１Ｃとの比較にて示されるように、コーナー１０５ａの外側でのグランドプレーン１１０ｄと配線１０６ａとの間のＥＭ結合（及び結果としてＥＭ界）を低減し得る。
【００３１】
さらに、一部の実施形態において、配線１０６ａ（及び結果として信号経路１０２）は、経路ビア１０４から離れた点においてより経路ビア１０４との接合部分において配線１０６ａが幅広になるよう、配線１０６ａが経路ビア１０４及びコーナー１０５ａに近付くにつれて幅が広くなるように構成され得る。配線１０６ａの幅を広げていくことと、切り抜き部分１１６の存在とにより、配線１０６ａとグランドプレーン１１０ｃとの間のＥＭ結合（及び結果としてＥＭ界）が増大され得る。配線１０６ａの幅を広げていくこと、及び切り抜き部分１１６は、コーナー１０５ａの内側でのＥＭ結合を、コーナー１０５ａの外側でのＥＭ結合に対して増大させ得る。グランドプレーン１１０ｄの第２の側１３０の切り抜き部分１１６の幅及びテーパーと、配線１０６ａの変化する幅とは、配線１０６ａの幅広化された部分での特性インピーダンスが、幅広化されていない且つ／或いはグランドプレーン１１０ｄの切り抜き部分１１６を有しない部分での配線１０６ａの特性インピーダンスと実質的に同等になり得るように選定され得る。
【００３２】
一部の実施形態において、グランドプレーン１１０ｃはまた、経路ビア１０４に付随するアンチパッドとし得る切り抜き部分１３４を含み得る。切り抜き部分１３４が、レイヤ１０８ｆのインタフェース側１１１とは反対側のグランドプレーン１１０ｃの第１の側１２０において、レイヤ１０８ｆのインタフェース側１１１に対応し得るグランドプレーン１１０ｃの第２の側１２２においてより大きい非対称なアンチパッドとして構成され得るように、切り抜き部分１３４は非対称にされ得る。切り抜き部分１３４は、コーナー１０５ａの外側でコーナー１０５ａ付近のＥＭ結合を低減させる助けとなり得る。
【００３３】
これら又はその他の実施形態において、グランドプレーン１１０ａは、切り抜き部分１３４と同様の、経路ビア１０４に付随するアンチパッドとし得る切り抜き部分１３６を含み得る。切り抜き部分１３６が、レイヤ１０８ａのインタフェース側１１５とは反対側のグランドプレーン１１０ａの第１の側１２４において、レイヤ１０８ａのインタフェース側１１５に対応し得るグランドプレーン１１０ａの第２の側１２６においてより大きい非対称なアンチパッドとして構成され得るように、切り抜き部分１３６は非対称にされ得る。切り抜き部分１３６は、第２のコーナー１０５ｂの外側で第２のコーナー１０５ｂ付近のＥＭ結合を低減させる助けとなり得る。
【００３４】
回路１００はまた、グランドプレーン１１０同士の間で戻り電流を搬送するように構成されたグランドビアを含み得る。図示した実施形態において、回路１００は、図１Ａに示した直線１５０に沿って経路ビア１０４とアライメントされ得るグランドビア１４０ａ及び１４０ｂを含み得る。グランドビア１４０ａ及び１４０ｂは、グランドビアの伝統的な構成にて構成され得る。さらに、一部の実施形態において、コーナー１０５の内側でのＥＭ界を増大させる助けとなるよう、１つ以上のグランドビア１３８がそれぞれ、コーナー１０５のうちの一方に関連付けられ、且つ、関連付けられたコーナー１０５が位置する回路１００の領域付近で、関連付けられたコーナー１０５の内側に含められ得る。グランドビア１３８は、仮にグランドビア１４０ａ及び１４０ｂのみが使用されるとした場合と比較して、より多くの戻り電流の部分が、グランドビア１３８それぞれの関連付けられたコーナー１０５の内側で伝播し得るように構成され得る。グランドビア１３８からの、コーナー１０５の内側での増大された戻り電流は、コーナー１０５の外側でのＥＭ界と比較してコーナー１０５の内側でのＥＭ界を増大させる助けとなり、それにより信号劣化を抑制し得る。
【００３５】
例えば、図示した実施形態において、回路１００は、グランドプレーン１１０ａをグランドプレーン１１０ｂと結合するように構成されたグランドビア１３８ａを含むことができ、それにより、戻り電流の少なくとも一部がグランドプレーン１１０ａからグランドプレーン１１０ｂへとグランドビア１３８ａを通り抜け得るようにし得る。グランドビア１３８ａは、グランドビア１３８ａが実質的にコーナー１０５ｂの内側にあるよう、図１Ａに示したようにグランドプレーン１１０ａの第２の側１２６でグランドプレーン１１０ａに結合され得る。従って、グランドビア１３８ａを通り抜ける戻り電流と、経路ビア１０４を通り抜ける順方向電流とが、グランドプレーン１１０ａと１１０ｂとの間の経路ビア１０４と、グランドビア１３８ａと、の間にＥＭ界を生成し、それにより、コーナー１０５ｂの外側と比較してコーナー１０５ｂの内側でのＥＭ界を増大させ得る。図１Ｂは、経路ビア１０４とグランドビア１３８ａとの間の電界の一例を示している。
【００３６】
他の一例として、図示した実施形態において、回路１００は、グランドプレーン１１０ｂをグランドプレーン１１０ｃと結合するように構成されたグランドビア１３８ｂを含むことができ、それにより、戻り電流の少なくとも一部がグランドプレーン１１０ｂからグランドプレーン１１０ｃへとグランドビア１３８ｂを通り抜け得るようにし得る。グランドビア１３８ｂは、グランドビア１３８ｂが実質的にコーナー１０５ａの内側にあるよう、図１Ａに示したようにグランドプレーン１１０ｃの第２の側１２２でグランドプレーン１１０ｃに結合され得る。従って、グランドビア１３８ｂを通り抜ける戻り電流と、経路ビア１０４を通り抜ける順方向電流とが、グランドプレーン１１０ｂと１１０ｃとの間の経路ビア１０４と、グランドビア１３８ｂと、の間にＥＭ界を生成し、それにより、コーナー１０５ａの外側と比較してコーナー１０５ａの内側でのＥＭ界を増大させ得る。図１Ｂは、経路ビア１０４とグランドビア１３８ｂとの間の電界の一例を示している。
【００３７】
また、一部の実施形態において、回路１００は、グランドプレーン１１０ｃをグランドプレーン１１０ｄと結合するように構成され得るグランドビア１３８ｃ、１３８ｄ、１３８ｅ及び１３８ｆを含むことができ、それにより、戻り電流がグランドプレーン１１０ｃからグランドプレーン１１０ｄへとグランドビア１３８ｃ−１３８ｆを通り抜け得るようにし得る。図１Ａに示すように、グランドビア１３８ｃ−１３８ｆは、グランドプレーン１１０ｃの第２の側１２２でグランドプレーン１１０ｃに結合され得るとともに、グランドプレーン１１０ｄの第２の側１３０でグランドプレーン１１０ｄに結合され得る。従って、グランドビア１３８ｃ−１３８ｆは、コーナー１０５ａ付近でコーナー１０５ａの内側にあるようにされることができ、それにより、対応するＥＭ界がコーナー１０５ａの内側に生成され得る。
【００３８】
回路１００は、従って、上述のように構成されることで、ビアを通り抜ける信号に付随するインピーダンス不連続及び対応する信号劣化が抑制され得るようにし得る。回路１００には、本開示の範囲を逸脱することなく、変更が為され得る。例えば、回路１００の具体的なレイアウト及び構成は、単に一例として用いられているに過ぎない。ビア（経路又はグランド）の個数及び位置は、具体的な用途に応じて様々となり得る。また、回路のレイヤ数も様々であり、どのレイヤがビアによって接続されてもよい。また、回路は必ずしも、ここに開示されたＥＭ界操作技術の全てを実装しなくてもよい。
【００３９】
図２は、ここに開示される少なくとも１つの実施形態に従った、差動信号のディファレンシャルモードに関するＥＭ界を操作するように構成された回路２００の一構成例を示している。回路２００は、例えば印刷回路基板（ＰＣＢ）若しくは集積回路（ＩＣ）などの層状回路、又は２層以上を含み得るＩＣパッケージとし得る。回路２００のレイヤ群は、互いに上下に積み重ねられ得る。図示した実施形態においては、図１Ａにおける回路１００のレイヤ１０８ａ−１０８ｈの上面図と同様に、回路２００のレイヤ２０８ａ−２０８ｈの各々の上面図が描かれている。回路２００のこのレイヤ数は単なる一例であり、本開示に従って構成される回路は、如何なる数の適用可能なレイヤを有していてもよい。
【００４０】
回路２００は、電流を搬送するように構成され得る信号経路２０２及び信号経路２０３を含み得る。図示した実施形態において、信号経路２０２は、第１の信号に関する順方向電流を搬送するように構成されることができ、信号経路２０３は、第２の信号に関する戻り電流を搬送するように構成さることができる。第１の電流に関する順方向電流は“第１信号順方向電流”として参照され、第２の電流に関する戻り電流は“第２信号戻り電流”として参照され得る。図示した実施形態において、信号経路２０２は、レイヤ２０８ａの中若しくは上にあり且つ／或いはそれによって支持されるとし得るレイヤ２０８ａに付随する配線（トレース）２０６ｂを含み得る。信号経路２０２はまた、レイヤ２０８ｆの中若しくは上にあり且つ／或いはそれによって支持されるとし得るレイヤ２０８ｆに付随する配線２０６ａを含み得る。同様に、信号経路２０３は、レイヤ２０８ａの中若しくは上にあり且つ／或いはそれによって支持されるとし得るレイヤ２０８ａに付随する配線２０９ｂを含み得る。信号経路２０３はまた、レイヤ２０８ｆの中若しくは上にあり且つ／或いはそれによって支持されるとし得るレイヤ２０８ｆに付随する配線２０９ａを含み得る。配線２０６ａ、２０６ｂ、２０９ａ及び２０９ｂは、電流を搬送し得る如何なる好適な導電体からなっていてもよい。
【００４１】
信号経路２０２はまた、レイヤ２０８ａの配線２０６ｂとレイヤ２０８ｆの配線２０６ａとに結合された経路ビア２０４を含み得る。経路ビア２０４は、配線２０６ｂと２０６ａとの間で経路ビア２０４を第１信号順方向電流が通り抜け得るような如何なる好適な導電体からなっていてもよい。従って、経路ビア２０４は、レイヤ２０８ｆ及びレイヤ２０８ａで信号経路２０２を電気的に接続するように構成され得る。同様に、信号経路２０３はまた、レイヤ２０８ａの配線２０９ｂとレイヤ２０８ｆの配線２０９ａとに結合された経路ビア２０７を含み得る。経路ビア２０７は、配線２０９ａと２０９ｂとの間で経路ビア２０７を第２信号戻り電流が通り抜け得るような如何なる好適な導電体からなっていてもよい。従って、経路ビア２０７は、レイヤ２０８ｆ及びレイヤ２０８ａで信号経路２０３を電気的に接続するように構成され得る。
【００４２】
信号経路２０２は、経路ビア２０４が配線２０６ａと接触し得るところにコーナー２０５ａを含み得る。さらに、信号経路２０２は、経路ビア２０４が配線２０６ｂと接触し得るところにコーナー２０５ｂを含み得る。同様に、信号経路２０３は、経路ビア２０７が配線２０９ａと接触し得るところにコーナー２０１ａを含み得る。さらに、信号経路２０３は、経路ビア２０７が配線２０９ｂと接触し得るところにコーナー２０１ｂを含み得る。
【００４３】
経路ビア２０４が配線２０６ａと接触するとともに経路ビア２０７が配線２０９ａと接触するレイヤ２０８ｆの側は、レイヤ２０８ｆのインタフェース側２１１として参照され得る。インタフェース側２１１とは反対側のレイヤ２０８ｆの側は、レイヤ２０８ｆのインタフェース反対側２１３として参照され得る。同様に、経路ビア２０４が配線２０６ｂと接触するとともに経路ビア２０７が配線２０９ｂと接触するレイヤ２０８ａの側は、レイヤ２０８ａのインタフェース側２１５として参照され得る。インタフェース側２１５とは反対側のレイヤ２０８ａの側は、レイヤ２０８ａのインタフェース反対側２１７として参照され得る。上述のレイヤ群２０８の相異なる側の間の境界を描くために、図示のように経路ビア２０４及び２０７の中央を通って走る分割線２５０を用いている。後述のように、回路２００は、コーナー２０５及び２０１でのディファレンシャルモード・インピーダンス不整合が低減されて、ディファレンシャルモードの差動信号の劣化が抑制されるように構成され得る。
【００４４】
回路２００のレイヤ群のうちの１つ以上は、グランドプレーンとしても構成されることができ、それらグランドプレーンのうちの１つ以上が、信号経路２０２によって搬送される第１信号順方向電流に相当し得る第１の信号の戻り電流を搬送するように構成され得る。また、それらグランドプレーンのうちの１つ以上が、信号経路２０３によって搬送される第２信号戻り電流に相当し得る第２の信号の順方向電流を搬送するように構成され得る。第１の信号に関する戻り電流は“第１信号戻り電流”として参照され、第２の信号に関する順方向電流は“第２信号順方向電流”として参照され得る。
【００４５】
図示した実施形態において、レイヤ２０８ｂ、２０８ｄ、２０８ｅ及び２０８ｇは、グランドプレーンとして構成されることができ、それぞれ、グランドプレーン２１０ａ、２１０ｂ、２１０ｃ及び２１０ｄとして参照され得る。グランドプレーン２１０ａ、２１０ｂ、２１０ｃ及び２１０ｄは、電流がグランドプレーン２１０ａ、２１０ｂ、２１０ｃ及び２１０ｄを通り抜け得るようにそれぞれのレイヤのかなりの部分を覆い得る如何なる好適種類の導電体を含んでいてもよい。
【００４６】
回路２００は、回路１００及び図１に関して上述したのと同様に、コーナーの内側での回路２００のコーナー（例えば、コーナー２０５ａ及び２０５ｂ、並びにコーナー２０１ａ及び２０１ｂ）付近のＥＭ界を、コーナーの外側でのコーナー付近のＥＭ界に対して増大させるように構成され得る。記載されるＥＭ界操作は、回路１００に関して上述したのと同様にして、配線２０６、２０９、及び／又はグランドプレーン２１０に関連付けられた導電体の大きさ、形状及び／又は位置を操作することによって達成され得る。
【００４７】
例えば、一部の実施形態において、グランドプレーン２１０ｄは、グランドプレーン２１０ｄに関する導電体が省かれた切り抜き部分２１６を含み得る。グランドプレーン２１０ｄは、グランドプレーン位置２１８ａ及び２１８ｂが経路ビア２０４及び２０７の位置に一致し得るようにして、それぞれ経路ビア２０４及び２０７の下方にあるグランドプレーン位置２１８ａ及び２１８ｂを含み得る。一部の実施形態において、切り抜き部分２１６は、レイヤ２０８ｆのインタフェース側２１１の反対側とし得るグランドプレーン２１０ｄの第１の側２２８でグランドプレーン位置２１８ａ及び２１８ｂから遠ざかる方向に延在するように構成され得る。第１の側２２８でのグランドプレーン位置２１８ａ及び２１８ｂから遠ざかる方向への切り抜き部分２１６の延在は、コーナー２０５ａ及び２０１ａの外側でのグランドプレーン２１０ｄと経路ビア２０４及び２０７との間のＥＭ結合（及び結果としてＥＭ界）を低減し得る。
【００４８】
これら又はその他の実施形態において、切り抜き部分２１６は、レイヤ２０８ｆのインタフェース側２１１に対応し得るグランドプレーン２１０ｄの第２の側２３０でグランドプレーン位置２１８ａ及び２１８ｂから遠ざかる方向に延在するように構成され得る。第２の側２３０でのグランドプレーン位置２１８ａ及び２１８ｂから遠ざかる方向への切り抜き部分２１６の延在は、配線２０６ａ及び２０９ａがそれぞれコーナー２０５ａ及び２０１ａに近付くにつれて、グランドプレーン２１０ｄと配線２０６ａ及び２０９ａとの間のＥＭ結合（及び結果としてＥＭ界）を低減し得る。一部の実施形態において、切り抜き部分２１６は、図２に例示されるようにテーパー（先細り）形状に構成され得る。従って、一部の実施形態において、切り抜き部分２１６は、非対称であってもよく、グランドプレーン位置２１８において、切り抜き部分２１６が終わる第２の側２３０の終端位置においてより幅広であってもよい。
【００４９】
さらに、一部の実施形態において、配線２０６ａ及び２０９ａは、図２に例示されるようにコーナー２０５ａ及び２０１ａ付近で互いの方に近付くように構成され得る。一部の実施形態において、インタフェース側２１１の遥か右側からコーナー２０５ａ及び２０１ａの方に進むとき、配線２０６ａ及び２０９ａはまた、互いの方に近付くにつれて次第に細くなるように構成され得る。配線２０６ａ及び２０９ａを近付けること及び／又は細くすることは、配線２０６ａと２０９ａとの間のＥＭ結合を増大させることができ、それにより配線２０６ａと２０９ａとの間のＥＭ界が増大され得る。
【００５０】
配線２０６ａ及び２０９ａはまた、コーナー２０５ａ及び２０１ａと、図２に例示されるように配線２０６ａと２０９ａとが近付いた領域との間で逸れるように構成され得る。一部の実施形態において、配線２０６ａ及び２０９ａは、互いから逸れるときに、経路ビア２０４及び２０７に近付くにつれて幅が広くなるように構成され得る。このような配線２０６ａ及び２０９ａの構成と、グランドプレーン２１０ｄの切り抜き部分２１６とにより、第１信号順方向電流及び第２信号戻り電流に付随するＥＭ界が、それぞれ、コーナー２０５ａ及び２０１ａの内側に集中され得る。配線２０６ａ及び２０９ａが近付いて逸れるときの、配線２０６ａ及び２０９ａの幅広化及びテーパー化、並びに配線２０６ａと２０９ｂとの間の間隔は、配線２０６ａ及び２０９ａのディファレンシャルモード特性インピーダンスが、これらの配線が幅広にされ、テーパー状にされ、近付けられ、あるいは逸らされていないところでの配線２０６ａ及び２０９ａのそれと実質的に同等になり得るように選定され得る。
【００５１】
一部の実施形態において、グランドプレーン２１０ｃはまた、経路ビア２０４及び２０７に付随するアンチパッドとし得る切り抜き部分２３４を含み得る。切り抜き部分２３４が、グランドプレーン２１０ｃの第１の側２２０においてグランドプレーン２１０ｃの第２の側２２２においてより大きい非対称なアンチパッドとして構成され得るように、切り抜き部分２３４は非対称にされ得る。図２に示されるように、第１の側２２０はレイヤ２０８ｆのインタフェース側２１１の反対側であり、第２の側２２２はレイヤ２０８ｆのインタフェース側２１１に対応し得る。従って、切り抜き部分２３４は、コーナー２０５ａ及び２０１ａの外側で、コーナー２０５ａ及び２０１ａ付近のＥＭ結合及びＥＭ界を低減させ得る。
【００５２】
これら又はその他の実施形態において、グランドプレーン２１０ａは、経路ビア２０４及び２０７に付随するアンチパッドである切り抜き部分２３４と同様の、経路ビア２０４及び２０７に付随するアンチパッドとし得る切り抜き部分２３６を含み得る。切り抜き部分２３６が、グランドプレーン２１０ａの第１の側２２４においてグランドプレーン２１０ａの第２の側２２６においてより大きい非対称なアンチパッドとして構成され得るように、切り抜き部分２３６は非対称にされ得る。図２に示されるように、第１の側２２４はレイヤ２０８ａのインタフェース側２１５の反対側であり、第２の側２２６はレイヤ２０８ａのインタフェース側２１５に対応し得る。従って、切り抜き部分２３６は、コーナー２０５ｂ及び２０１ｂの外側で、コーナー２０５ｂ及び２０１ｂ付近のＥＭ結合及びＥＭ界を低減させ得る。
【００５３】
一部の実施形態において、回路２００は、グランドプレーン２１０同士の間で第１信号戻り電流及び第２信号順方向電流を搬送するように構成されたグランドビアを含み得る。図示した実施形態において、回路２００は、図２に示すように経路ビア２０４及び２０７とアライメントされ得るグランドビア２４０ａ及び２４０ｂを含み得る。グランドビア２４０ａ及び２４０ｂは、グランドビアの伝統的な構成にて構成されることができ、図１Ａのグランドビア１４０ａ及び１４０ｂと同様とし得る。さらに、一部の実施形態において、コーナー２０５ａ、２０５ｂ、２０１ａ及び／又は２０１ｂの内側でのＥＭ界を増大させるよう、１つ以上のグランドビア２３８が、コーナー２０５ａ、２０５ｂ、２０１ａ及び／又は２０１ｂのうちの１つ以上に関連付けられ、且つ、それぞれ関連付けられたコーナーが位置する回路２００の領域付近で、それぞれ関連付けられたコーナーの内側に含められ得る。グランドビア２３８は、仮にグランドビア２４０ａ及び２４０ｂのみが使用されるとした場合と比較して、より多くの第１信号戻り電流及び第２信号順方向電流の部分が、グランドビア２３８それぞれの関連付けられたコーナーの内側で伝播し得るように構成され得る。
【００５４】
例えば、図示した実施形態において、回路２００は、図１Ａのグランドビア１３８ａ及び１３８ｂと同様に構成されたグランドビア２３８ａ及び２３８ｂを含み得る。故に、グランドビア２３８ａは、コーナー２０１ｂ及び２０５ｂに付随して、コーナー２０１ｂ及び２０５ｂの内側でのＥＭ場を増大させ得る。同様に、グランドビア２３８ｂは、コーナー２０１ａ及び２０５ａに付随して、コーナー２０１ａ及び２０５ａの内側でのＥＭ場を増大させ得る。
【００５５】
回路２００は、従って、上述のように構成されることで、ビアを通り抜けるディファレンシャルモードの差動信号に付随するディファレンシャルモードインピーダンス不連続及び対応する信号劣化が抑制され得るようにし得る。回路２００には、本開示の範囲を逸脱することなく、変更が為され得る。例えば、回路２００の具体的なレイアウト及び構成は、単に一例として用いられているに過ぎない。ビア（経路又はグランド）の個数及び位置は、具体的な用途に応じて様々となり得る。また、回路のレイヤ数も様々であり、どのレイヤがビアによって接続されてもよい。また、回路は必ずしも、ここに開示されたＥＭ界操作技術の全てを実装しなくてもよい。
【００５６】
図３は、ここに開示される少なくとも１つの実施形態に従った、ＥＭ界を操作して差動信号のコモンモードに関する電気信号劣化を抑制するように構成された回路３００の一構成例を示している。回路３００は、例えば印刷回路基板（ＰＣＢ）若しくは集積回路（ＩＣ）などの層状回路、又は２層以上を含み得るＩＣパッケージとし得る。回路３００のレイヤ群は、互いに上下に積み重ねられ得る。図示した実施形態においては、図１Ａにおける回路１００のレイヤ１０８ａ−１０８ｈの描写と同様に、回路３００のレイヤ３０８ａ−３０８ｈの上面図が描かれている。回路３００のこのレイヤ数は単なる一例であり、本開示に従って構成される回路は、如何なる数の適用可能なレイヤを有していてもよい。
【００５７】
回路３００は、電流を搬送するように構成され得る信号経路３０２及び信号経路３０３を含み得る。図示した実施形態において、信号経路３０２は、第１の信号に関する順方向電流を搬送するように構成されることができ、信号経路３０３は、第２の信号に関する順方向電流を搬送するように構成さることができる。第１の電流に関する順方向電流は“第１信号順方向電流”として参照され、第２の電流に関する順方向電流は“第２信号順方向電流”として参照され得る。
【００５８】
信号経路３０２は、図２の信号経路２０２と同様とすることができ、図２の配線２０６ａ及び２０６ｂ、経路ビア２０４、コーナー２０５ａ及びコーナー２０５ｂとそれぞれ同様とし得る配線３０６ａ及び３０６ｂ、経路ビア３０４、コーナー３０５ａ及びコーナー３０５ｂを含み得る。信号経路３０３は、図２の信号経路２０３と同様とすることができ、図２の配線２０９ａ及び２０９ｂ、経路ビア２０７、コーナー２０１ａ及びコーナー２０１ｂとそれぞれ同様とし得る配線３０９ａ及び３０９ｂ、経路ビア３０７、コーナー３０１ａ及びコーナー３０１ｂを含み得る。一部の実施形態において、配線３０６ａ及び３０９ａは、配線２０６ａ及び２０９ａのように近付いて逸れるように構成されていなくてもよいという点で、配線２０６ａ及び２０９ａと異なっていてもよい。回路３００はまた、第１及び第２の信号の戻り電流を搬送するように構成され得るグランドプレーン３１０ａ−３１０ｄを含み得る。
【００５９】
回路３００は、図２の回路２００及び／又は図１Ａの回路１００に関して上述したのと同様に、コーナーの内側での回路３００のコーナー（例えば、コーナー３０５ａ及び３０５ｂ、並びにコーナー３０１ａ及び３０１ｂ）付近のＥＭ界を、コーナーの外側でのコーナー付近のＥＭ界に対して増大させるように構成され得る。記載されるＥＭ界操作は、配線３０６及び３０９、及び／又はグランドプレーン３１０に関連付けられた導電体の大きさ、形状及び／又は位置を操作することによって達成され得る。
【００６０】
例えば、グランドプレーン３１０ａは切り抜き部分３３６を含むことができ、グランドプレーン３１０ｃは切り抜き部分３３４を含むことができ、グランドプレーン３１０ｄは切り抜き部分３１６を含むことができ、切り抜き部分３３６、３３４及び３１６は、それぞれ、図２の切り抜き部分２３６、２３４及び２１６と同様にして構成され得る。従って、切り抜き部分３３６、３３４及び３１６は、コーナーの内側での回路３００のコーナー（例えば、コーナー３０５ａ及び３０５ｂ、並びにコーナー３０１ａ及び３０１ｂ）付近のＥＭ界を、コーナーの外側でのコーナー付近のＥＭ界に対して増大させるように構成され得る。
【００６１】
また、配線３０６ａ及び３０９ａは、一部の実施形態において近付き合うように構成されなくてもよいが、それぞれ、コーナー３０５ａ及び３０１ａに近付くときに幅広になるように構成されてもよい。このように配線３０６ａ及び３０９ａを幅広にすることと、グランドプレーン３１０ｄの切り抜き部分３１６とにより、第１信号順方向電流及び第２信号順方向電流に付随するＥＭ界が、それぞれ、コーナー３０５ａ及び３０１ａの内側に集中され得る。
【００６２】
回路３００はまた、図１Ａのグランドビア１４０ａ及び１４０ｂ並びに図２のグランドビア２４０ａ及び２４０ｂとそれぞれ同様に構成されたグランドビア３４０ａ及び３４０ｂを含み得る。さらに、回路３００は、図１Ａのグランドビア１３８ａ−１３８ｆと同様に構成され得るグランドビア３３８ａ−３３８ｆを含み得る。従って、グランドビア３３８ａ−３３８ｆは、第１信号戻り電流及び第２信号戻り電流を、それぞれが付随するコーナー３０５及び３０１の内側に向けることができ、それにより、第１信号戻り電流と第１信号順方向電流との間のＥＭ界、及び第２信号戻り電流と第２信号順方向電流との間のＥＭ界が、コーナー３０５及び３０１の内側で増大され得る。
【００６３】
回路３００は、従って、記載及び図示のように構成されることで、ビアを通り抜けるコモンモードの差動信号に付随するコモンモードインピーダンス不連続及び対応する信号劣化が抑制され得るようにし得る。回路３００には、本開示の範囲を逸脱することなく、変更が為され得る。例えば、回路３００の具体的なレイアウト及び構成は、単に一例として用いられているに過ぎない。ビア（経路又はグランド）の個数及び位置は、具体的な用途に応じて様々となり得る。また、回路のレイヤ数も様々であり、どのレイヤがビアによって接続されてもよい。また、回路は必ずしも、ここに開示されたＥＭ界操作技術の全てを実装しなくてもよい。
【００６４】
図４は、ここに開示される少なくとも１つの実施形態に従った編成された、回路内での電気信号劣化を抑制する方法４００の一例のフローチャートである。方法４００は、一部の実施形態において、図１Ａ、２及び３それぞれの回路１００、２００及び３００に関して上述した原理に従って層状回路を形成あるいは製造することによって実行され得る。個別のブロックとして図示されているが、様々なブロックが、所望の実装に応じて、更なるブロックへと分割され、より少ないブロックへと結合され、あるいは排除されてもよい。
【００６５】
方法４００は開始し、ブロック４０２にて、回路の第１のレイヤが形成され得る。第１のレイヤは、電気信号の順方向電流を搬送するように構成された信号経路を含むように形成され得る。ブロック４０４にて、回路の第２のレイヤが形成され得る。第２のレイヤも、信号経路を含むように形成され得る。ブロック４０６にて、第１のレイヤの信号経路を第２のレイヤの信号経路と接続するように構成された経路ビアが形成され得る。経路ビアは、第１のレイヤ及び第２のレイヤの位置に信号経路ビア位置を有し得る。一部の実施形態において、信号経路は、上述の信号経路１０２、２０２、２０３、３０２及び３０３のうちの何れか１つに従って構成され得る。
【００６６】
ブロック４０８にて、第１のレイヤ及び第２のレイヤに関連付けられるグランドプレーンが形成され得る。グランドプレーンは、電気信号の戻り電流を搬送するように構成されることができ、信号経路ビア位置に一致するグランドプレーン位置を有し得る。ブロック４１０にて、グランドプレーンに付随する非対称な切り抜き部分が形成され得る。非対称な切り抜き部分は、経路ビアが第１のレイヤの信号経路と接触する第１のレイヤの側に対応するグランドプレーンの第２の側とは反対のグランドプレーンの第１の側で、グランドプレーン位置から遠ざかる方向に延在するように形成され得る。例えば、非対称な切り抜き部分は、上述の回路１００、２００及び３００の切り抜き部分１１６、１３４、１３６、２１６、２３４、２３６、３１６、３３４又は３３６のうちの何れか１つとし得る。
【００６７】
方法４００に従って回路を構成することで、図１Ａ、１Ｂ、２及び３に関して上述したように回路に付随するＥＭ場を操作することができ、それにより、インピーダンス不連続及び関連する信号劣化を抑制し得る。方法４００には、本開示の範囲を逸脱することなく、変更が為され得る。例えば、これらのブロックに関するステップ群の順序は、提示されたものとは異なる順序で実行されてもよい。また、一部の実施形態において、方法４００は、例えば上述のグランドビア１３８ａ−１３８ｆ、２３８ａ、２３８ｂ及び３３８ａ−３３８ｆなどのグランドビアの形成及び構成に関するステップを含み得る。
【００６８】
ここに記載された全ての例及び条件付きの言葉は、本発明と技術を前進させるために本願の発明者によって与えられる概念とを読者が理解することを支援するための教育的な目的を意図したものであり、そのように具体的に記載した例及び条件への限定ではないと解釈されるべきである。本開示に係る実施形態を詳細に説明したが、理解されるべきことには、これらの実施形態には、本発明の精神及び範囲を逸脱することなく、様々な変形、代用及び改変が為され得る。
【００６９】
以上の説明に関し、更に以下の付記を開示する。
（付記１）  電気信号劣化を抑制するように構成された回路であって、
電気信号の順方向電流を搬送するように構成された信号経路と、
前記信号経路を含む第１のレイヤと、
前記信号経路を含む第２のレイヤと、
信号経路ビア位置を有し、前記第１のレイヤの前記信号経路を前記第２のレイヤの前記信号経路と接続するように構成された経路ビアと、
前記第１のレイヤに関連付けられ、前記電気信号の戻り電流を搬送するように構成されたグランドプレーンであり、該グランドプレーンは、前記信号経路ビア位置に対応するグランドプレーン位置を有し、該グランドプレーンは、前記グランドプレーンの第１の側で前記グランドプレーン位置から遠ざかる方向に延在した非対称な切り抜き部分を含み、前記グランドプレーンの前記第１の側は、前記経路ビアが前記第１のレイヤの前記信号経路と接触している前記第１のレイヤの側に対応する前記グランドプレーンの第２の側の反対側である、グランドプレーンと、
を有する回路。
（付記２）  前記信号経路は、前記信号経路ビア位置に近付くにつれて前記第１のレイヤ上で幅が広くなる幅広部を含む、付記１に記載の回路。
（付記３）  前記信号経路の幅を広くすることは、前記信号経路の特性インピーダンスが、前記幅広部において、幅が広くされていない部分においてと略同じであるようにされる、付記２に記載の回路。
（付記４）  前記非対称な切り抜き部分は、前記経路ビアに付随する非対称なアンチパッドであり、前記非対称なアンチパッドは、前記グランドプレーンの前記第１の側において前記グランドプレーンの前記第２の側においてより大きいように構成されている、付記１に記載の回路。
（付記５）  前記非対称な切り抜き部分は、前記グランドプレーンの前記第２の側で前記グランドプレーン位置から遠ざかる方向に延在し、且つ前記グランドプレーンの前記第２の側上の終端位置で終わっており、前記非対称な切り抜き部分は、前記グランドプレーン位置において、前記終端位置においてより幅広である、付記１に記載の回路。
（付記６）  前記非対称な切り抜き部分は、前記非対称な切り抜き部分が前記グランドプレーン位置において前記終端位置においてより幅広であるように、前記グランドプレーンの前記第２の側で先細り形状にされている、付記５に記載の回路。
（付記７）  前記信号経路は、前記非対称な切り抜き部分の前記先細り形状に対応するように前記第１のレイヤ上で幅を広げられている、付記６に記載の回路。
（付記８）  前記グランドプレーンは第１のグランドプレーンであり、当該回路は更に、
第２のグランドプレーンと、
前記第１のグランドプレーンの前記第２の側に結合されたグランドビアであり、該グランドビアは、前記信号経路が前記経路ビアと接触するところである前記信号経路のコーナーの内側に位置するようにされ、該グランドビアは、前記戻り電流が前記第１のグランドプレーンと前記第２のグランドプレーンとの間で該グランドビアを通るよう、前記第１のグランドプレーンを前記第２のグランドプレーンと接続するように構成されている、グランドビアと
を有する、付記１に記載の回路。
（付記９）  前記電気信号は、第１の信号と第２の信号とを含む差動信号であり、前記信号経路は、前記第１の信号を搬送するように構成された第１の信号経路と、前記第２の信号を搬送するように構成された第２の信号経路とを含む差動信号経路であり、前記第１の信号経路と前記第２の信号経路とが近付いて逸れるように構成されている、付記１に記載の回路。
（付記１０）  前記第１の信号経路と前記第２の信号経路との少なくとも一方は、前記第１の信号経路と前記第２の信号経路とが近付くとき幅狭になるように構成されている、付記９に記載の回路。
（付記１１）  電気信号劣化を抑制する方法であって、
電気信号の順方向電流を搬送するように構成された信号経路を含む第１のレイヤを形成することと、
前記信号経路を含む第２のレイヤを形成することと、
信号経路ビア位置を有し且つ前記第１のレイヤの前記信号経路を前記第２のレイヤの前記信号経路と接続するように構成された経路ビア、を形成することと、
前記第１のレイヤに関連付けられ且つ前記電気信号の戻り電流を搬送するように構成されたグランドプレーンを形成することであり、前記グランドプレーンは、前記信号経路ビア位置に対応するグランドプレーン位置を有する、形成することと、
前記グランドプレーンに付随する非対称な切り抜き部分を形成することであり、前記非対称な切り抜き部分が、前記グランドプレーンの第１の側で前記グランドプレーン位置から遠ざかる方向に延在するように形成され、前記グランドプレーンの前記第１の側は、前記経路ビアが前記第１のレイヤの前記信号経路と接触する前記第１のレイヤの側に対応する前記グランドプレーンの第２の側の反対側である、形成することと、
を有する方法。
（付記１２）  前記信号経路ビア位置に近付くにつれて前記第１のレイヤ上で幅が広くなる幅広部を前記信号経路が含むように、前記信号経路を形成すること、を更に有する付記１１に記載の方法。
（付記１３）  前記信号経路の特性インピーダンスが、前記幅広部において、幅が広くされていない部分においてと略同じであるように、前記信号経路の幅を広くすることが行われるよう、前記信号経路を形成すること、を更に有する付記１２に記載の方法。
（付記１４）  当該方法は更に、前記非対称な切り抜き部分を、前記経路ビアに付随する非対称なアンチパッドとして構成することを有し、前記非対称なアンチパッドは、前記グランドプレーンの前記第１の側において前記グランドプレーンの前記第２の側においてより大きくなるように構成される、付記１１に記載の方法。
（付記１５）  当該方法は更に、前記非対称な切り抜き部分が前記グランドプレーンの前記第２の側で前記グランドプレーン位置から遠ざかる方向に延在し、且つ前記グランドプレーンの前記第２の側上の終端位置で終わるように、前記非対称な切り抜き部分を構成することを有し、前記非対称な切り抜き部分は、前記グランドプレーン位置において、前記終端位置においてより幅広にされる、付記１１に記載の方法。
（付記１６）  前記非対称な切り抜き部分が前記グランドプレーン位置において前記終端位置においてより幅広であるように、前記非対称な切り抜き部分が前記グランドプレーンの前記第２の側で先細り形状にされるよう、前記非対称な切り抜き部分を構成すること、を更に有する付記１５に記載の方法。
（付記１７）  前記非対称な切り抜き部分の前記先細り形状に対応するように前記信号経路が前記第１のレイヤ上で幅を広げられるよう、前記信号経路を構成すること、を更に有する付記１６に記載の方法。
（付記１８）  前記グランドプレーンは第１のグランドプレーンであり、当該方法は更に、
第２のグランドプレーンを形成することと、
前記第１のグランドプレーンの前記第２の側に結合されるグランドビアを形成することであり、前記グランドビアが、前記信号経路が前記経路ビアと接触するところである前記信号経路のコーナーの内側に位置するようにする、形成することと、
前記戻り電流が前記第１のグランドプレーンと前記第２のグランドプレーンとの間で前記グランドビアを通るよう、前記第１のグランドプレーンを前記第２のグランドプレーンと接続するように前記グランドビアを構成することと
を有する、付記１１に記載の方法。
（付記１９）  前記電気信号は、第１の信号と第２の信号とを含む差動信号であり、当該方法は更に、
前記第１の信号を搬送するように構成された第１の信号経路と、前記第２の信号を搬送するように構成された第２の信号経路とを含む差動信号経路として、前記信号経路を構成することと、
近付いて逸れるように前記第１の信号経路及び前記第２の信号経路を構成することと
を有する、付記１１に記載の方法。
（付記２０）  前記第１の信号経路と前記第２の信号経路とが近付くとき幅狭になるように、前記第１の信号経路と前記第２の信号経路との少なくとも一方を構成すること、を更に有する付記１９に記載の方法。
【符号の説明】
【００７０】
１００、２００、３００  回路
１０２、２０２、２０３、３０２、３０３  信号経路
１０４、２０４、２０７、３０４、３０７  経路ビア
１０５、２０１、２０５、３０１、３０５  コーナー
１０６、２０６、２０９、３０６、３０９  配線
１０８、２０８、３０８  レイヤ
１１０、２１０、３１０  グランドプレーン
１１１、１１５、２１１、２１５、３１１、３１５  インタフェース（接触）側
１１６、１３４、１３６、２１６、２３４、２３６、３１６、３３４、３３６  切り抜き部分
１１８、２１８、３１８  グランドプレーン位置
１２０、１２４、１２８、２２０、２２４、２２８、３２０、３２４、３２８  グランドプレーンの第１の側
１２２、１２６、１３０、２２２、２２６、２３０、３２２、３２６、３３０  グランドプレーンの第２の側（インタフェース側に対応する側）
１３８、１４０、２３８、２４０、３３８、３４０  グランドビア
【図１Ａ】
2015165646.tif 000003
【図１Ｂ】
2015165646.tif 000004
【図１Ｃ】
2015165646.tif 000005
【図２】
2015165646.tif 000006
【図３】
2015165646.tif 000007
【図４】
2015165646.tif 000008